(57)【特許請求の範囲】
【請求項１】
電動モータと、該電動モータの出力軸に連結される軸部を有する大径羽根及び小径羽根からなる回転羽根と、前記大径羽根を収容するポンプ室をもったハウジングとを備え、前記ハウジングは、前記回転羽根の前記小径羽根が挿入される吸込口と、前記ポンプ室の側部に設けられる吐出口とを備えてなる排水ポンプにおいて、
前記回転羽根は、前記吸込口の入口近傍にまで縁部が延びる板状の前記小径羽根のほかに、該小径羽根に対して直交する方向に配設される板状の補助小径羽根を備え、該補助小径羽根の下縁部は、前記吸込口の内部において、前記小径羽根の下縁部よりも前記吸込口の入口部から一層離れた位置に形成されていることを特徴とする排水ポンプ。
【発明の詳細な説明】
【０００１】
【発明の属する技術分野】
本発明は排水ポンプ、特に空気調和機に装備される排水ポンプに関する。
【０００２】
【従来の技術】
空調機の室内ユニットは、冷房運転時に熱交換器に空気中の水分が凝縮して付着し、熱交換器の下方に設けられるドレンパン内に滴下する。このドレンパン内に溜ったドレン水を排水するために排水ポンプが用いられる。この排水ポンプは、下部に吸込口を形成し、上部を開口すると共に、側方に吐出口を設けたポンプ本体であるハウジング内に羽根を回転自在に設け、この羽根をハウジングの開口の上部にカバーを介して固定したモータにより回転させている。そのモータの駆動軸は、カバーに形成された貫通穴を回転自在に貫通して羽根のシャフト部に連結され、モータを駆動して、羽根が回転すると、ドレンパン内に貯溜したドレン水は、吸込口の羽根の下端から吸込まれ、遠心力により、ハウジング内面に沿って揚水され、ケーシングの吐出口から外部に吐出される。
この種の排水ポンプは、例えば、本出願人に係る特許文献１に開示されている。
【０００３】
【特許文献１】
特開２０００−２１３７７０号公報
【０００４】
【発明が解決しようとする課題】
空気調和機で処理される空気中には、室内に浮遊するゴミ等の異物が含まれ、この浮遊する異物がドレン水に混入してドレンパンに落下する。
排水ポンプは、この異物が混入したドレン水を吸込んで吐出するが、この際に異物が吸込口の入口を塞ぎ、さらには吐出口の入口を塞ぎ揚水不良の原因となることがある。
本発明は、上述した不具合を解消する排水ポンプを提供するものである。
【０００５】
【課題を解決するための手段】
本発明の排水ポンプは、基本的な手段として電動モータと、該電動モータの出力軸に連結される軸部を有する大径羽根及び小径羽根からなる回転羽根と、前記大径羽根を収容するポンプ室をもったハウジングとを備え、前記ハウジングは、前記回転羽根の前記小径羽根が挿入される吸込口と、前記ポンプ室の側部に設けられる吐出口とを備えてなる排水ポンプであることをもって発明の前提としているものである。
【０００６】
また、前記回転羽根は、前記吸込口の入口近傍にまで縁部が延びる板状の前記小径羽根のほかに、該小径羽根に対して直交する方向に配設される板状の補助小径羽根を備え、該補助小径羽根の下縁部は、前記吸込口の内部において、前記小径羽根の下縁部よりも前記吸込口の入口部から一層離れた位置に形成されていることをもって発明の特徴としているものである。
【０００７】
【発明の実施の形態】
図１は、本発明を適用する排水ポンプの説明図、図２はポンプ本体部の断面図である。
全体を符号１で示す排水ポンプは、電動モータ１０を有し、電動モータ１０は、ライン１１を介して給電される。電動モータ１０は、ブラケット２０により支持され、ブラケット２０の下端部は、ポンプハウジング（ポンプ本体）５０の上部に取付けられる蓋部材３０に連結される。
【０００８】
ハウジング５０は、プラスチックでつくられ、内部にポンプ室５２が形成される。ハウジング５０には、ポンプ室５２に連通されるとともに下向きに開口する吸込口６０とポンプ室５２から側方に開口する吐出口７０とが一体に形成される。
ポンプ室５２内には、回転羽根１００が配設され、ポンプ室５２の開口部は蓋部材３０で覆われる。ハウジング５０と蓋部材３０の間にはシール部材４０が挿入され、ポンプ室からのドレン水の漏水が防止される。
【０００９】
回転羽根は軸部１１０を有し、軸部１１０の有底穴に電動モータ１０の出力軸１２が挿入される。蓋部材３０は軸部１１０が貫通する開口部３２を有する。開口部３２から噴出するドレン水のモータ側への飛散を防止するために、円盤状のストッパ１４が取付けられる。
【００１０】
回転羽根１００は、軸部１１０から放射方向に延びる板状の大径羽根１２０を有する。大径羽根１２０は、テーパー状の連結部１３０を介して板状の小径羽根１４０に接続される。
大径羽根１２０はハウジング５０のポンプ室５２内に収容され、小径羽根１４０は吸込口６０の内部に収容される。
大径羽根１２０の下縁部及び外縁部は、環状部材１６０により覆われる。
【００１１】
小径羽根１４０は平板状のもので、その下端縁１４０ａは、吸込口６０の入口部６２の近傍にまで延びている。小径羽根１４０に対して直交する位置に配設される補助小径羽根１４２は、その下縁部１４２ａが小径羽根１４０の下縁部１４０ａに対して、吸込口６０の入口部６２からは離れる位置になるように形成される。
【００１２】
図３は、回転羽根１００の構造の詳細を示す図であり、図３（ａ）はその断面図、図３（ｂ）は図３（ａ）を下方向から見た図である。
環状部材１６０は、大径羽根１２０の下縁部を覆う皿状の底部材１６２及びこれに連続する大径羽根１２０の外縁部を覆う円筒状壁部材１６４を有する。底部材１６２は、その中心に開口部１６１が形成され、ハウジング５０のポンプ室５２の底面形状に対応する形状を有する。なお、図では、底部材１６２には、その上面の幅内に軸部１１０に対し放射方向に大径羽根１２０間で補助羽根１２０’が立設して設けられ、円筒状壁部材１６４の内面に接続されている。また、この補助羽根１２０’は省略してもよい。
【００１３】
小径羽根１４０は、平板状のものであって、補助小径羽根１４２は、小径羽根１４０から直交方向に延びる。補助小径羽根１４２の下縁部１４２ａは、小径羽根１４０の下縁部１４０ａよりも吸込口の入口から離れる位置に設定される。なお、図３（ｃ）は小径羽根１４０と補助小径羽根１４２との構成を下方向から見た図である。
この回転羽根１００を装備することにより、吸込口６０の入口部６２内にドレン水に含まれる異物の付着が防止され、揚水不良の発生原因が除去されることが実験により確認された。
【００１４】
【発明の効果】
本発明の排水ポンプは以上のように、空気調和機に送り込まれる室内空気に含まれる浮遊ゴミ等の異物がドレン水と共に吸込口からポンプ内に吸込まれる際に、吸込口の入口付近に付着することが防止できる。したがって、吸込口の詰まりにより発生する揚水不良が防止できる。
【図面の簡単な説明】
【図１】本発明の排水ポンプの全体構造を示す説明図。
【図２】本発明の排水ポンプの要部の断面図。
【図３】本発明の排水ポンプの回転羽根の第１の実施例を示す説明図。
【符号の説明】
１  排水ポンプ
１０  電動モータ
２０  ブラケット
３０  蓋部材
５０  ハウジング
５２  ポンプ室
５６  内周壁
５６ａ  段付部
６０  吸込口
７０  吐出口
７２  吐出通路
７４  吐出通路入口部
７６  吐出通路出口部
１００  回転羽根
１２０  大径羽根
１４０  小径羽根
１４２  補助小径羽根
【図１】
0004462842.tif 000002
【図２】
0004462842.tif 000003
【図３】
0004462842.tif 000004